(57)【要約】【課題】ストレーナを備え、柱部材を埋設したままで、このストレーナ及び切換え弁のメンテナンスを行える不凍水栓柱を提供する。【解決手段】切換えバルブ１５を柱部材３内に配置する。切換えバルブは、立上り管１１、ボンネットエルボ２７と連結され、上部キャップ１３により吊下げ、支持される。ボール２１は、中空スピンドル３１、ロッド３３、上部スピンドル３７を介してハンドル３９により回転される。切換えバルブは流入口部１７ｂに繋がる延長部或は流路１８を備え、その第２垂直部１８ｄ内にストレーナ５９が取付けられる。ストレーナは、その開口５９ｂ側に折返し部５９ｃを備えている。延長部には止め輪５７でロッキングスクリュ５５が抜け止めされて取付けられ、ロッキングスクリュは柱部材の下端部に固定されたソケット７に螺合させる。この螺合は、ロッキングスクリュウの溝５５ｂにバルブ本体１７の下部の形成された突部１７ｄを嵌めて行う。【選択図】　　　　図１
2004027567.tif 000002
【特許請求の範囲】
【請求項１】
中空の柱部材と、該柱部材内に配置される、通水と止水を切換える切換え弁と、前記柱部材内へ挿入され、その一端において前記切換え弁の流出口側に一体的に連結される立上がり配管とを備え、前記切換え弁はその流入口側において、前記柱部材の下端部に取付けられる接続部材を介して上流側配管に連通され、前記立上がり配管は前記切換え弁と一緒に前記柱部材から上方へ抜取り可能に取付けられている不凍水栓柱において、前記切換え弁は、前記流入口の上流側に前記流入口に通じる流路を備え、該流路内に、ストレーナが着脱自在に取付けられていることを特徴とする、不凍水栓柱。
【請求項２】
請求項１記載の不凍水栓柱において、前記切換え弁流入口側の流路は、前記柱部材の軸方向に延びて形成された垂直流路部を備え、前記ストレーナは前記垂直流路部に配置されていることを特徴とする、不凍水栓柱。
【請求項３】
請求項１又は２に記載の不凍水栓柱において、前記ストレーナは、一端が閉じた円筒状に形成され、開口した他端側において、径方向内方へ折り曲げられた折返し部を備えていることを特徴とする、不凍水栓柱。
【請求項４】
請求項１乃至３のいずれかに記載の不凍水栓柱において、前記切換え弁と前記立上り管とは着脱可能に連結されることを特徴とする、不凍水栓柱。
【請求項５】
不凍水栓柱に取付けて使用するストレーナにおいて、一端が閉じた円筒状に形成され、開口した他端側において、径方向内方へ折り曲げられた折返し部を備えていることを特徴とする、ストレーナ。
【請求項６】
中空の柱部材と、該柱部材内に配置される、通水と止水を切換える切換え弁と、前記柱部材内へ挿入され、その一端において前記切換え弁の流出口側に連結される立上がり配管と、前記柱部材の側壁部の所定の位置に形成された取付け穴に取付けられ、前記立ち上がり管の側部に形成された連結部へ連結される、蛇口取付け部材と、前記柱部材の下部に取付けられ、貫通孔を有し、一端側において上流側に接続され、他端側において前記切換え弁の流入口側へ連通する接続部材とを備えた不凍水栓柱において、前記切換え弁は、前記流入口の上流側に前記流入口に通じる流路を内部に備えた延長部を備え、該流路内に、ストレーナが着脱自在に取付けられ、前記水栓柱はさらに、貫通孔を有し、前記接続部材の前記他端側へ軸方向移動不能に取付けられる、取外し可能な固定部材を備え、前記固定部材は、前記切換え弁の前記延長部に、抜け止めされて取付けられ、軸線方向において所定の範囲で相対移動可能であり、互いに回転自在であることを特徴とする、不凍水栓柱。
【請求項７】
請求項６に記載の不凍水栓柱において、前記固定部材は、前記接続部材にネジ結合で着脱自在に結合され、前記切換え弁と前記固定部材には、互いに係合して、前記切換え弁を回転させたときに前記固定部材を回転させる固定部材回転機構を備えていることを特徴とする、不凍水栓柱。
【発明の詳細な説明】
【０００１】
【産業上の利用分野】
本発明は不凍水栓柱に関する。さらに詳細に言えば、ストレーナを備え、水栓柱を設置した状態のままで、このストレーナが、水栓柱内部に配置された、通水状態と止水、水抜き状態とを切換える弁機構と一緒に取外し、取付けが可能なタイプの不凍水栓柱に関する。
【０００２】
本発明はさらに、不凍水栓柱等に好適に使用できるストレーナに関する。
【０００３】
さらに本発明は、ストレーナを備えた不凍水栓柱であって、蛇口取付けのための立上り管と柱部材との相対位置の位置決めが容易に行なえる、不凍水栓柱に関する。
【０００４】
【従来の技術】
従前から庭などに設置されて使用される水栓柱があるが、その中に、寒冷地で使用される、水抜きバルブを取付けた所謂不凍水栓柱がある。
【０００５】
ところで、水道配管中の通常設置するのが望ましい個所、例えばメータの手前、給湯器への給水部等にはストレーナが取付けられ、水道水の中に含まれたごみ、異物などを除去するようになっている。しかし、庭先などに設置される水栓柱に付いては、ストレーナの取付けを規定している水道事業者も無く、通常ストレーナは取付けられていないのが実情である。
【０００６】
しかし、寒冷地で使用される不凍水栓柱では、通水状態と止水、水抜き状態を切換える切換えバルブが使用されており、このバルブが水の中に含まれた砂、異物などの詰まり、或はそれによる損傷を起こし、止水不能或は通水不良などのトラブルを起こす可能性が有る。特に配管工事中には、砂、シール材、接着剤、切粉等の異物の配管中への混入は避けられず、そのまま使用を開始すれば、切換え弁の損傷は避けられない。従って、やはり不凍水栓柱にもストレーナを設けることが望ましい。
【０００７】
また施工時においては、本管から分岐してメータバルブまで配管すると、メータバルブから排水して洗管が行なわれる。しかしメータから宅内配管に付いては、さまざまな事情によって全ての配管が済んだ後の水圧検査のときでないとメータを設置できない場合が有る。この場合は水を流せないので洗管せずに末端器具まで設置されてしまう。そうなるとメータを設置して始めて水を流すこととなるので、不凍水栓柱は末端器具であり、宅内配管内のゴミが纏まって入り込んでくる。すると水の出が悪くなったり、ゴミが弁部に絡んだまま開閉することとなり、傷がついて止水性を失うこととなる。また、設置後も近くで分岐工事が行なわれると、その際発生した切粉が流れてくることとなる。これらに対処するためにもストレーナを設けることが望ましい。
【０００８】
ところで、ストレーナは水中のごみ、異物を捕捉することを目的とするものであるから、ストレーナを設置する場合には、そのストレーナのメンテナンスを行なえるようにすることは必須である。しかし、不凍水栓柱は凍結深度を越えて地中深く埋設されるものであり、設置するとなればストレーナも地中深く設置することとなり、メンテナンスのためにそれを掘起こす作業は大変な労力を要する。特に切換えバルブが使用されるのは主として冬季であり、従って前述したようなトラブルが発生するのも冬季に多く、雪の降り積もった中でのメンテナンスのための掘起こし作業は大変な労力、費用を要する。
【０００９】
ところで本出願人は、特願平１１−２６１３９２号（特開２００１−１１５５０５）で、切換え弁１１を角パイプ内３に配置すると共に角パイプを上下に分割し、メンテナンスの際にはこの切換え弁を角パイプ上部５と共に角パイプ下部７から取外せるようにした不凍水栓柱を提案した。
【００１０】
この水栓柱では、切換え弁１１とこれに順次連結される立上がり管７５、ボンネットエルボ７７などは、一体化された状態で角パイプ上部５の上に乗った上部キャップ６３により吊下げられた状態となっている。そして、下方から上方へ作用する水圧に抗して切換え弁等を所定の位置に保持するために、長いシャフト９５、９７を使用し、その下端を角パイプの下端側内部に固定されたベース３０に、上端を上部キャップに結合している。この長いシャフトを角パイプの略全長に渡って挿入し、その下端をベースにねじ込み、さらに上端を上部キャップに固定する作業はきわめて煩雑な作業である。
【００１１】
また、切換え弁、立上がり管、ボンネットエルボなどは全てネジを用いて連結されるようになっている一方で、これらをパイプ内に挿入した後にパイプ外部からボンネットエルボにブッシング８１を取付けるので、パイプに対してボンネットエルボの回転方向での位置決めを行う必要が有る。各部材をネジで連結し、パイプに挿入してから軸回りに回転させて位置合わせをおこなおうとすると、切換え弁が前述のシャフトと干渉する場合が生じる。従って、各部材を連結する際に、一部のネジを完全には締めずに接着剤を用いるなどして連結し、切換え弁とボンネットエルボのブッシング取付け部との位置決めをしておく必要が有り、この作業は煩雑で、工数の多い作業となる。また、この不凍水栓柱では、前述の異物などに対する対応がされていない。
【００１２】
また出願人は、特願２０００−２７７９７７（特開２００２−８８８２６）において異なるタイプの不凍水栓柱を提案した。この水栓柱は、上記特願平１１−２６１３９２の止水弁体４１に作用する水圧の問題を解決するために提案したものである。そして先の水栓柱と同様に、切換え弁５３と立上がり管５１とをネジで連結して一体化している。但し、ボンネットエルボや上部キャップ等に付いての説明は、直接その発明に関係を有しないので省略している。
【００１３】
そしてこの水栓柱では、切換え弁５３の垂下部７３を外套管（先の角パイプに対応する）の下端に取付けられた下部本体１１にネジ結合する構成を採用し、これにより前述の水栓柱で使用したシャフトの使用を止めている。
【００１４】
しかしこの水栓柱でも、切換え弁の垂下部を下部本体にネジ結合する際に、単にねじ込んだだけでは切換え弁すなわちボンネットエルボのブッシング取付け部の回転方向位置が一定位置に定まらないこととなるので、ボンネットエルボの位置が所定の位置に来たところでねじの締め付けを停止するなどして対処することとなるが、これでは結合が不完全になり、本来望ましいことではない。また、この不凍水栓柱でも、前述した異物等に対する対応はされていない。
【００１５】
【発明が解決しようとする課題】
本願発明は、上記従来の問題点に鑑みてなされたものであり、ストレーナを備え、そのストレーナが、水栓柱を設置した状態のままで、切換えバルブと共に取外し、取付けが可能な、不凍水栓柱を提供することをその課題とする。
【００１６】
さらに、そのような水栓柱に使用するのに特に適したストレーナを提供することもその課題とする。
【００１７】
さらには、ストレーナを備え、蛇口取付けのための立上り管と柱部材との相対位置の位置決めが容易に行なえる、不凍水栓柱を提供することもその課題である。
【００１８】
【課題を解決するための手段】
上記課題を解決するために、本発明の不凍水栓柱は、中空の柱部材と、該柱部材内に配置される、通水と止水を切換える切換え弁と、柱部材内へ挿入され、その一端において切換え弁の流出口側に一体的に連結される立上がり配管とを備え、切換え弁はその流入口側において、柱部材の下端部に取付けられる接続部材を介して上流側配管に連通され、立上がり配管は切換え弁と一緒に柱部材から上方へ抜取り可能に取付けられている。そしてその切換え弁は、流入口の上流側にこの流入口に通じる流路を備え、該流路内に、ストレーナが着脱自在に取付けられている。
【００１９】
上記課題を解決するために、本願発明のストレーナは、一端が閉じた円筒状に形成され、開口した他端側において、径方向内方へ折り曲げられた折返し部を備えている。
【００２０】
上記課題を解決するために、さらに本願発明の別の不凍水栓柱は、中空の柱部材と、該柱部材内に配置される、通水と止水を切換える切換え弁と、柱部材内へ挿入され、その一端において切換え弁の流出口側に連結される立上がり配管と、柱部材の側壁部の所定の位置に形成された取付け穴に取付けられ、立ち上がり管の側部に形成された連結部へ連結される、蛇口取付け部材と、柱部材の下部に取付けられ、貫通孔を有し、一端側において上流側に接続され、他端側において切換え弁の流入口側へ連通する接続部材とを備えている。そして、切換え弁は、流入口の上流側に形成された、流入口に通じる流路を内部に備えた延長部を備え、該流路内に、ストレーナが着脱自在に取付けられ、この水栓柱はさらに、貫通孔を有し、接続部材の他端側へ軸方向移動不能に取付けられる、取外し可能な固定部材を備え、この固定部材は、切換え弁の延長部に、抜け止めされて取付けられ、軸線方向において所定の範囲で相対移動可能であり、互いに回転自在となっている。
【００２１】
【発明の実施の形態】
以下、図面に基づき本願発明の具体的実施の形態を説明するが、本願発明の範囲は以下に説明される実施の形態に限定されるものではない。図は本願発明の実施の形態に係る不凍水栓柱１の下側略１／２の部分の縦断面図であり、図２は上側略１／２の部分の縦断面図である。なお、図１は通水状態、図２は止水状態を示してある。
【００２２】
図において符号３は断面略正方形の中空角パイプであり、水栓柱１の柱部材となる、この柱部材３の下端には、中央部に開口５ａを備えた下部キャップが、その短い筒部５ｂが柱部材３内に嵌って図示のように取付けられている。そして貫通孔７ａを備えた、図示しない上流側配管に接続されるソケット７が、その下部７ｂが開口５を通って下方へ突出した状態で、ボルト９、９を用いて前述の下部キャップ５共々柱部材３に固定して取付けられている。ソケット７の上部７ｃの内周には、その端部から軸方向所定の範囲で雌ネジ７ｄが刻まれている。
【００２３】
符号１５は切換えバルブであり、バルブ本体１７とボール押さえ１９とを備え、両者により画成される弁室内に弁体としてのボール２１が収納されている。そして弁室からの流出口部１７ａ側においてジョイントナット２３を介してジョイント２５に連結され、そのジョイント２５はその上部において立上り管１１とネジで一体的に連結されている。
【００２４】
立上り管１１の上端部はボンネットエルボ２７の下端側にネジで結合され、そのボンネットエルボ２７はその上端側において、柱部材３の上端に被せられた上部キャップ１３の中央凹所１３ａ内に配置された、その下端側が上部キャップ１３の中央穴１３ｂから突出したキャップ押さえボルト２９にネジ結合されている。これにより、図示の状態では、上部キャップ１３により、ボンネットエルボ２７、立上り管１１、切換えバルブ１５が一体的に連結された状態で吊下げられ、支持されていることとなる。ボンネットエルボ２７の軸方向所定の位置で側方に開いたブッシング取付け部２７ａが形成されており、ここに柱部材３の側孔３ａから挿入された、蛇口（図示せず）取付用のブッシング２８が取り付けられている。
【００２５】
一方ボール２１には中空で、側孔３１ａを備えた中空スピンドル３１が一体回転可能に取付けられ、これにさらに、ロッド３３、スピンドルコネクタ３５、上部スピンドル３７が一体回転するように連結されている。上部スピンドル３７の上端は角形に形成され、この形状を利用してハンドル３９が一体回転するよう取付けられ、ボルト４１で両者は固定されている。符号４３はボンネットエルボ２７の上端部にキャップ押さえボルト２９に先だってねじ込まれた、スピンドル３７の抜け止めをするスピンドル押さえであり、符号４５はスピンドル３７とボンネットエルボとの間を絶縁する絶縁スリーブである。
【００２６】
そして符号４９は、バルブ本体１７の流出口１７ａ側端部に形成された凹所に位置し、中空スピンドル３１に一体に回転するように取付けられたガイドワッシャである。凹所とワッシャ４９の平面形状は、ワッシャ４９が、従って中空スピンドル及びボール２１を含めて中空スピンドル３７と一体に回転するよう連結されている部材の回転が所定の範囲に制限されるような形状となっている。従って、ハンドル３９を回転操作することにより、ボール２１を回転させ、通水状態と止水、水抜き状態との切換えを行う。この切換え動作については公知なので、詳細な説明は省略する。符号５１（図１）は水抜き用の逆止弁であり、符号５３は水抜き時に作用する吸気弁である。これらの詳細な説明も省略する。
【００２７】
ところで、前述の切換えバルブ１５を構成するバルブ本体１７の流入口１７ｂ側には、内部に貫通した流路が形成された延長部１８が本体１７と一体に形成されている。延長部１８は主として、前述の弁室に繋がる部分の第１水平部１８ａと、これに繋がる垂直な第１垂直部１８ｂと、これに繋がる傾斜部１８ｃと、それにつながり垂直下方へ延びる第２垂直部１８ｄとを備えている。
【００２８】
そして第２垂直部１８ｄの外周には、図示の通り止め輪５７を用いて抜け止めされた状態で、ロッキングスクリュ５５が取付けられている。なお、第２垂直部１８ｄとロッキングスクリュ５５との軸方向での寸法は、止め輪５７で抜け止めされている方向と反対方向には、互いに軸方向移動が所定の範囲で可能な寸法になっている。そして、ロッキングスクリュ５５は、外周にオネジ５５ａを備え、前述のソケット７の雌ネジ７ｄに螺合して固定されている。
【００２９】
この螺合をさせるために、ロッキングスクリュ５５の上面に径方向に延びて形成された溝５５ｂが、バルブ本体１７の下側部分には下側に向かって形成され、溝５５ｂに嵌ることのできる突部１７ｄが形成されている。バルブ本体１７は、突部１７ｄと反対側の部分において外形が円弧状になっており、その部分も溝５５ｂに嵌ることができる。これらについては後述する。
【００３０】
符号５９は適宜に選択される大きさの網目を備えたストレーナであり、略円筒状をしており、前述の延長部１８の第２垂直部１８ｄ内に嵌めこまれ、着脱自在に取付けられている。ストレーナ５９はその上流側すなわち図１において上側端部５９ａは閉じており、下側端部５９ｂは開口している。そしてこの下側端部に５９ｂには、径方向内向きで，若干上向きに形成された折返し部５９ｃが形成されている。
【００３１】
上記の不凍水栓柱１では、通水時には上流からの水が、ソケット７から、延長部１８、ボール２１内の流路を経て中空スピンドル３１に入り、側孔３１ａから出て立上り管１１内へ入ってボンネットエルボ２７を通ってブッシング２８へながれ、蛇口から流出する。ハンドル３９を回転してボール２１を回して上流からの水を流入口１７ｂの位置で止水すると、それより下流側の水は、先とは逆に流れ、逆止弁５１を介して外部へ排出される。この動作は公知なので、これ以上詳細な説明は省略する。
【００３２】
ところで、上記の如く構成された不凍水栓柱１においては、水栓柱１を設置した状態のままで内部の切換えバルブ、ストレーナ５９などを取外すことができる。すなわち、図示の状態から先ず、蛇口及びブッシング２８を外す。次いでボルト４１を外してハンドル３９を外す。さらにキャップ押さえボルト２９を外して上部キャップ１３を外す。
【００３３】
この状態で立上り管１１とそれに連結されている部材は、上部キャップ１３に吊下げられた状態から解放され、図中下方へ移動する。これらの部材はこの状態では軸回りの回転が自在なので、これを適宜回転させて、バルブ本体１７の突部１７ｄをロッキングスクリュ５５の溝５５ｂに嵌入させ、これを回転させ、ソケット７から外す。これにより、立上り管１１とこれに連結された部材、及び上部スピンドル３７及びこれに連結した部材を一体的に柱部材３から抜き出すことができる。これにより、ストレーナ５９や切換えバルブ１５のメンテナンスを行うことができる。
【００３４】
なお、この場合、切換えバルブ１７の現場でのメンテナンスは難しい場合が多く、その場合には工場へ持ち込む必要がある。従ってこの場合、取外した部材を交換して対応することとなる。しかし本実施の形態では、ジョイントナット２３を緩めることにより切換えバルブ１５を他の部材から外すことができるので、切換えバルブのみの交換で足りることとなり、他の部品の交換は必要ない。
【００３５】
再度切換えバルブ１５等を取付けるには、先と逆の手順に依ればよい。なお、この場合、ロッキングスクリュ５５をソケット７に螺合した後、立上り管１１を上方へ移動させるとバルブ本体１７お突部１７ｄがスクリュ５５の溝５５ｂから外れ、立上り管１１をその軸回りに回転させることができるので、ブッシング取付け部２７ａの柱部材３の側孔３ａとの位置合わせは簡単に行うことができる。
【００３６】
【発明の効果】
上記説明から明らかなとおり、本願の不凍水栓柱では、ストレーナを取付けたので、水中に混入した異物などにより切換えバルブが損傷したり、作動不良になったりすることが防止できる。しかも、水栓柱全体を掘起こす必要はなく、内部の機構部分のみを取出すことができるので、異物詰まりによる水量不足解消など、メンテナンスがきわめて容易に行うことができる。また、交換が必要な場合、ストレーナのみの交換、或は切換えバルブのみの交換が可能である。また、立上り管の回転が可能であるので、取付け時にボンネットエルボのブッシング取付け部の位置合わせを容易に行なえる。また、ストレーナに折返し部を設けたので、一旦捕捉した異物などが、通水停止時に落下してもこの折返し部により捕捉され、上流側へ戻ってしまうことが無い。従って、次のメンテナンスの再に確実にそれを除去できる。
【図面の簡単な説明】
【図１】本発明の実施の形態に係る不凍水栓柱の下部の縦断面図である。
【図２】不凍水栓柱の下部の縦断面図である。
【符号の説明】
１　　不凍水栓柱
３　　柱部材
７　　ソケット
１１　　立上り管
１３　　上部キャップ
１５　　切換えバルブ
１７　　バルブ本体
１８　　延長部
１９　　ボール押さえ
２１　　ボール
２５　　ジョイント
２７　　ボンネットエルボ
２７ａ　　ブッシング取付け部
２８　　ブッシング
２９　　キャップ押さえボルト
３１　　中空スピンドル
３３　　ロッド
３７　　上部スピンドル
３９　　ハンドル
５５　　ロッキングスクリュ
５９　　ストレーナ
【図１】
2004027567.tif 000003
【図２】
2004027567.tif 000004